(57)【要約】  局所的な特異形状部分を有した部品を、工数の増大を招くことなく実現することができる製造方法を提供する。  部品Ｊの製造方法を、単品プレス加工により作られた金属製の板状部材１ａに、異形状に別加工した他の板状部材１ｂ、１ｃを重ね合わせ、それら複数枚の板状部材１ａ、１ｂ、１ｃを接着プレス加工に伴わせて接合してなり、少なくとも１枚の板状部材により形成された局所的な特異形状部分ｐ１を有した部品を得るものとした。
2011099593.tif 000002
【特許請求の範囲】
【請求項１】
単品プレス加工により作られた金属製の板状部材に、異形状に別加工した他の板状部材を重ね合わせ、それら複数枚の板状部材を接着プレス加工に伴わせて接合してなり、少なくとも１枚の板状部材により形成された局所的な特異形状部分を有した部品を得ることを特徴とする部品の製造方法。
【請求項２】
前記接着プレス加工が、ストローク制御機構を備えたプレス機により前記複数枚の板状部材を接合するものである請求項１記載の部品の製造方法。
【請求項３】
前記接着プレス加工が、板状部材間に介在させた接着層の接着機能を少なくとも惹起させる加工である請求項１または２記載の部品の製造方法。
【請求項４】
前記接着プレス加工が、少なくとも板状部材間に介在させた接着層の接着機能を惹起させるものであり、この接着プレス加工に加えて補強接合加工を施すようにした請求項１〜３のいずれか記載の部品の製造方法。
【請求項５】
前記補強接合加工が、隣接する金属製の板状部材同士を、その境界部分にレーザビームを照射して接合するレーザ溶接加工である請求項４記載の部品の製造方法。
【請求項６】
前記補強接合加工が、外部に表出しない金属製の板状部材同士をスポット溶接により接合するスポット溶接加工である請求項４記載の部品の製造方法。
【請求項７】
前記補強接合加工が、外部に表出しない板状部材同士をリベットを用いて接合する締結加工である請求項４記載の部品の製造方法。
【請求項８】
前記局所的な特異形状部分が、取り付けのための部分である請求項１〜７のいずれか記載の部品の製造方法。
【請求項９】
前記局所的な特異形状部分が、位置決めのための部分である請求項１〜８のいずれか記載の部品の製造方法。
【請求項１０】
前記局所的な特異形状部分が、強度を変化させるための部分である請求項１〜９のいずれか記載の部品の製造方法。
【請求項１１】
前記局所的な特異形状部分が、質量分布を変化させるための部分である請求項１〜１０のいずれか記載の部品の製造方法。
【請求項１２】
前記局所的な特異形状部分が、特殊な機能を付加するための部分である請求項１〜１１のいずれか記載の部品の製造方法。
【請求項１３】
前記局所的な特異形状部分が、外観を整えるための意匠形成部分である請求項１〜１２のいずれか記載の部品の製造方法。
【請求項１４】
前記全ての板状部材が、それぞれ単品プレス加工により作られた金属製のものである請求項１〜１３のいずれか記載の部品の製造方法。
【請求項１５】
前記板状部材の少なくとも１枚が、非金属製のものである請求項１〜１３のいずれか記載の部品の製造方法。
【請求項１６】
前記板状部材の少なくとも１枚が、強度的特性を変化させるための要素を含むものである請求項１〜１５のいずれか記載の部品の製造方法。
【請求項１７】
前記板状部材の少なくとも１枚が、質量分布を変化させるための要素を含むものである請求項１〜１６のいずれか記載の部品の製造方法。
【請求項１８】
前記板状部材の少なくとも１枚が、熱、電気、電磁波、音、光等を遮蔽するための遮蔽機能を有した要素を含むものである請求項１〜１７のいずれか記載の部品の製造方法。
【請求項１９】
前記板状部材の少なくとも１枚が、制振機能を有した要素を含むものである請求項１〜１８のいずれか記載の部品の製造方法。
【請求項２０】
前記板状部材の少なくとも１枚が、外観を整えるための意匠面を形成する要素を含むものである請求項１〜１９のいずれか記載の部品の製造方法。
【請求項２１】
前記板状部材が、少なくとも一面に接着層が予め形成されたものである請求項１〜２０のいずれか記載の部品の製造方法。
【請求項２２】
前記接着プレス加工を終えた後に不要部分を切除するための仕上げプレス加工を更に備えている請求項１〜２１のいずれか記載の部品の製造方法。
【請求項２３】
前記不要部分は、完成品の縁を構成すべき部位からはみ出た部分である請求項２２記載の部品の製造方法。
【請求項２４】
前記不要部分は、板状部材同士を位置決めするための位置決め用部分である請求項２３記載の部品の製造方法。
【請求項２５】
前記部品が、電子機器の筐体の一部を構成するものである請求項１〜２４のいずれか記載の部品の製造方法。
【請求項２６】
前記電子機器が、ノートパソコンである請求項２５記載の部品の製造方法。
【請求項２７】
それぞれが単品プレス加工により作られた形状の異なる複数枚の板状部材が重ね合わされた状態で接着層を介して接合されてなり、少なくとも一枚の板状部材により形成された局所的な特異形状部分を有してなる部品であって、前記接着層が板状部材の接合面全域に亘ってとぎれることなく略一定の厚さで存在していることを特徴とする部品。
【請求項２８】
前記板状部材の重ね合わせ枚数が相互に異なる複数の領域を備えている請求項２７記載の部品。
【請求項２９】
前記領域の少なくとも２つが、相互に異なる厚みを有したものである請求項２８記載の部品。
【請求項３０】
前記複数の板状部材が、外部に表出する表側の板状部材と、この表側の板状部材の裏側に添接される中間の板状部材と、この中間の板状部材の裏面側に添接される裏側の板状部材からなるものであって、前記局所的な特異形状部分が前記中間の板状部材により形成されたものである請求項２７〜２９記載の部品。
【請求項３１】
前記局所的な特異形状部分が、ねじ孔を有した取り付け用のボス部である請求項３０記載の部品。
【発明の詳細な説明】
【技術分野】
【０００１】
本発明は、電子機器の筐体等の部品及びその製造方法に関する。
【背景技術】
【０００２】
従来から、平板状の板金素材に対をなす金型により挟圧力を作用させて所望の成型品を得るようにしたいわゆるプレス加工が知られている。一般にプレス加工は、板金素材を板厚が略一定に保たれたままの状態で種々の形状に塑性変形させるものであり、素材の厚みを変化させるのには一定の限界がある。そのため、プレス加工により作られた部品は表側の形状と裏側の形状とが常に一定の関係にあり、表側と裏側とを異なった形状に成型することは難しい。例えば、表に局所的に特異な形状部分を形成した場合には、裏側には必ずそれに対応した凹凸形状が形成されてしまうものであり、表側の形状と裏側の形状とに相関関係のない部品をプレス加工のみによって作ることは困難である。また、特定の領域と他の領域との厚みや強度特性等を異ならせるにも一定の限界がある。そのため、従来のプレス加工のみにより作られる製品は、設計の自由度が低いものであると言わざるを得ない。【０００３】
その結果、一面側に局所的な特異形状部分等を備えるとともに他面側に異なった特異形状部分や平面などを有した部品を製造する場合には、プレス加工に加えて、ボス部やダボ部を後付け加工する等のプレス加工以外の加工を別途行う必要がある。【０００４】
かかる事情から、比較的高い寸法精度を要求される部品であって、局所的な特異形状部分を有したものを製造する場合、最も厚みの大きな部位に対応する素材に削り出し加工を施すことにより目的の形状部分を備えた部品を得るようにしているものが存在する。例えば、ノートパソコンの筐体用部品の一つであるキーボード形成用の上面盤は、表側には意匠面を形成する必要があり、裏面には基板取り付け用のボス部等の局所的な特異形状部分を多数設ける必要がある。そのため、かかる複雑な形状を実現するために、アルミ削り出し加工による上面盤の製造が現実に行われている（例えば、非特許文献１を参照）。【０００５】
かかる筐体用の部品は、前述した取り付け用のボス部や位置決め等に用いられるダボ部等のみならず、強度特性や軽量化の要求等に対応する関係で、種々の局所的な特異形状部分を備えたものとすることが不可欠となっている。そのため、工作機械による削り出し加工の工数は極めて膨大なものとなり、仮に当該部品を１日に１０，０００台生産するためには、２，５００台の高価なマシニングセンタを２０時間稼働させなければならないという試算もある。【０００６】
電子機器等に用いられる各種の部品は、機能性や意匠性の向上等を確保する必要からその形態の自由度や材質の選択の自由度等が絶えず要求されるものである。かかる事情から、比較的精度が高く要求されるとともに局所的な特異形状部分を適切に備えた部品を、より少ない工数で効率よく製造するための方策が望まれている。【０００７】
また、このような要求は電子機器の分野に限らず、全ての工業製品の分野に拡がりつつある。
【先行技術文献】
【特許文献】
【０００８】
【非特許文献１】“アップルジャパン株式会社”、［ｏｎｌｉｎｅ］、［平成２１年９月９日検索］、インターネット＜URL:http://www.apple.com/jp/macbookair/＞
【発明の概要】
【発明が解決しようとする課題】
【０００９】
本発明は、以上のような事情に着目してなされたものであり、局所的な特異形状部分を有する製品をプレス加工により製造する場合には形状的な制約が多く設計の自由度が低くなるという課題を解消し、工数の大幅な増大を招くことなく種々の形態の部品を製造することを目的としている。
【課題を解決するための手段】
【００１０】
すなわち、本発明に係る部品の製造方法は、単品プレス加工により作られた金属製の板状部材に、異形状に別加工した他の板状部材を重ね合わせ、それら複数枚の板状部材を接着プレス加工に伴わせて接合してなり、少なくとも１枚の板状部材により形成された局所的な特異形状部分を有した部品を得ることを特徴とする。【００１１】
このような構成のものであれば、局所的な特異形状部分を有した部品を、単品プレス加工により作られた金属製の板状部材に、異形状に別加工した他の板状部材を重ね合わせ、それら複数枚の板状部材を接着プレス加工に伴わせて接合することにより得ることができるため、プレス加工で製造しても他面側に影響を与えることなく一面側に局所的な特異形状部分を形成することが可能となり、設計の自由度が向上するとともに、工数の大幅な増大を招くことなく種々の形態の部品を製造することができるものとなる。【００１２】
ここで、「接着プレス加工」とは、重ね合わせた複数枚の板状部材を接着させるために厚み方向に圧縮する加工全般を意味して命名した文言である。代表例としては、板状部材間に介在させた接着層の接着機能をプレスによる圧縮力により惹起させる加工を挙げることができる。また、「単品プレス加工」とは、板金素材にプレス加工を施すことにより所定の形状をなす各板状部材を作る行為を意味しており、説明の便宜上、前記「接着プレス加工」と明確に区別するために命名した文言である。【００１３】
前記接着プレス加工の好ましい態様としては、ストローク制御機構を備えたプレス機により前記複数枚の板状部材を接合するものを挙げることができる。換言すれば、ストローク制御機構を備えたプレス機を用いることにより、板状部材間に介在させた接着層に均一な圧縮力を作用させて各部にムラのない接着機能を惹起させるものが接着プレス加工の望ましい態様として挙げられる。【００１４】
前記板状部材間の接合度合いをより確実なものとするには、前記接着プレス加工が、少なくとも板状部材間に介在させた接着層の接着機能を惹起させるものであり、この接着プレス加工に加えて補強接合加工を施すようにすればよい。【００１５】
ここで、前記補強接合加工の具体的なものとしては、前記補強接合加工が、隣接する金属製の板状部材同士を、その境界部分にレーザビームを照射して接合するレーザ溶接加工を挙げることができる。その他の前記補強接合加工としては、外部に表出しない金属製の板状部材同士をスポット溶接により接合するスポット溶接加工や、外部に表出しない板状部材同士をリベットを用いて接合する締結加工を挙げることができる。【００１６】
前記局所的な特異形状部分としては、取り付けのための部分を挙げることができ、より具体的には、ねじ孔を有したボス部や、種々の部材に係合するためのフック部や、他の部材を挿通させるために形成した孔などが考えられる。【００１７】
前記局所的な特異形状部分としては、位置決めのための部分を挙げることができ、より具体的には、突出形状をなすダボ部などが考えられる。【００１８】
前記局所的な特異形状部分としては、強度を変化させるための部分を挙げることができ、より具体的には、補強形状をなすリブや、他の部分よりも厚肉に形成した厚肉部や、他の部分よりも薄肉に形成した薄肉部などが考えられる。【００１９】
前記局所的な特異形状部分としては、質量分布を変化させるための部分を挙げることができ、具体的には、軽量化に資するための孔や空洞や、重量化のために他の部分よりも厚肉に形成した厚肉部や、軽量化のために他の部分よりも薄肉に形成した薄肉部などが考えられる。【００２０】
前記局所的な特異形状部分としては、特殊な機能を付加するための部分をあげることができ、より具体的には、電子機器等を操作するための操作部などが考えられる。【００２１】
前記局所的な特異形状部分としては、外観を整えるための意匠形成部分等を挙げることができ、より具体的には、外観を変化させるために形成された凹凸部などが考えられる。【００２２】
プレス加工の度合いを高め、工数の抑制により一層寄与するためには、前記全ての板状部材が、それぞれ単品プレス加工により作られた金属製のものであることが望ましい。なお、金属製の板状部材には、鋼板、アルミ板、ステンレス板、チタン板、ジュラルミン板、マグネシウム板などの単体素材金属板だけでなく、金属板を主体にし、その表面や裏面の全域に種々のコーティング層を有したものも含まれる。【００２３】
前記板状部材の少なくとも１枚が、非金属製のものであれば、非金属製の板状部材の特性を効果的に利用した部品を得ることができるものとなる。【００２４】
種々の仕様に適用するには、前記複数枚の板状部材の少なくとも１枚に、強度的特性を変化させるための要素を含んだもの、質量分布を変化させるための要素を含んだもの、熱、電気、電磁波、音、光等を遮蔽するための遮蔽機能を有した要素を含んだもの、制振機能を有した要素を含んだもの、又は、外観を整えるための意匠面を形成する要素を含んだものなどを適用することが好ましい。【００２５】
ここで、「強度的特性」とは、強度に関する特性全般を意味し、具体的には、剛性、軟性、可撓性、靭性、弾性、ねじれ耐性、又は、耐圧性などを挙げることができる。【００２６】
「要素」には、形態に係わるもの、材質に係わるもの、色彩に係わるもの、電気特性に係わるもの、耐熱性に係わるもの、塑性変形加工性に係わるもの、腐食性に係わるもの、時効変化特性に係わるもの、あるいは、これらを複合したものなどが含まれる。なお、形態には、形状、模様、構造などが含まれる。【００２７】
接着プレス加工を円滑に行うためには、前記板状部材として、少なくとも一面に接着層が予め形成されたものを用いるのが好ましい。【００２８】
部品の精度をより高めたり後処理加工の工数を軽減したりするには、前記接着プレス加工を終えた後に不要部分を切除するための仕上げプレス加工を更に備えているものが好ましい。【００２９】
前記不要部分の具体的なものとしては、完成品の縁を構成すべき部位からはみ出た部分や、板状部材同士を位置決めするための位置決め用部分などを挙げることができる。【００３０】
本発明により得られる前記部品の一例としては、ノートパソコン等に代表される電子機器の筐体の一部を構成するものがある。【００３１】
また、本発明に係る部品は、それぞれが単品プレス加工により作られた形状の異なる複数枚の板状部材が重ね合わされた状態で接着層を介して接合されてなり、少なくとも一枚の板状部材により形成された局所的な特異形状部分を有してなる部品であって、前記接着層が板状部材の接合面全域に亘ってとぎれることなく略一定の厚さで存在していることを特徴とする。【００３２】
このようなものであれば、板状部材のそれぞれが単品プレス加工により作られたものであるので、局所的な特異形状部分を有しているにもかかわらず、少ない工数で製造することができる。しかも、前記接着層が板状部材の接合面全域に亘ってとぎれることなく一定の厚さで存在するので、重ね合わされた複数枚の板状部材が離れることなく強固に接合したものとなる。【００３３】
このような部品の好適な態様としては、前記板状部材の重ね合わせ枚数が相互に異なる複数の領域を備えているものがある。このような構成のものであれば、それぞれの領域において特性を異ならせることも容易になる。ここで、前記領域の具体的な態様としては、前記領域の少なくとも２つが、相互に異なる厚みを有したものを挙げることができる。【００３４】
前記複数の板状部材が、外部に表出する表側の板状部材と、この表側の板状部材の裏側に添接される中間の板状部材と、この中間の板状部材の裏面側に添接される裏側の板状部材からなるものであって、前記局所的な特異形状部分が前記中間の板状部材により形成されたものであれば、意匠性や機能性を損なうことなく所定の部品を得ることができるものとなる。【００３５】
なお、前記局所的な特異形状部分の一例としては、ねじ孔を有した取り付け用のボス部などを挙げることができる。
【発明の効果】
【００３６】
以上説明したように、本発明によれば、設計の自由度を高めることができ工数の大幅な増大を招くことなく局所的な特異形状部分を有した種々の形態の部品を製造することができる。
【図面の簡単な説明】
【００３７】
【図１】本発明の第一実施形態である部品の斜視図。
【図２】図１における一部を省略して示す模式的なＡ−Ａ線断面図。
【図３】同実施形態の分解斜視図。
【図４】同実施形態における部品の製造工程を示す断面図。
【図５】同実施形態における部品の製造工程を示す断面図。
【図６】図１におけるＶの一部を切断した部分拡大斜視図。
【図７】同実施形態におけるボス部の製造工程を示す断面図。
【図８】同実施形態におけるボス部の製造工程を示す断面図。
【図９】同実施形態におけるボス部の製造工程を示す断面図。
【図１０】同実施形態におけるボス部の製造工程を示す断面図。
【図１１】同実施形態におけるボス部の製造工程を示す斜視図。
【図１２】図２におけるＶＩの部分拡大断面図。
【図１３】本発明の第二実施形態である部品を示す斜視図。
【図１４】同実施形態の分解斜視図。
【図１５】同実施形態を示す部分拡大平面図。
【図１６】図１５におけるＢ−Ｂ線断面図。
【図１７】さらに他の実施形態である部品を示す分解斜視図。
【図１８】さらに他の実施形態である部品を示す分解斜視図。
【図１９】さらに他の実施形態である部品を示す分解斜視図。
【図２０】さらに他の実施形態である部品を示す分解斜視図。
【図２１】さらに他の実施形態である部品を示す分解斜視図。
【図２２】さらに他の実施形態である部品を示す分解斜視図。
【図２３】さらに他の実施形態である部品を示す分解斜視図。
【図２４】さらに他の実施形態である部品を示す分解斜視図。
【図２５】さらに他の実施形態である部品を示す分解斜視図。
【発明を実施するための形態】
【００３８】
＜第一実施形態＞
以下、本発明の第一実施形態について、図１〜図１２を参照して説明する。
【００３９】
この第一実施形態は、本発明を電子機器の筐体用部品であるノートパソコンのキーボード形成用の上面盤Ｊに適用した場合のものであり、説明の都合上、図１〜図１２では内面側が上を向くように描いてある。
【００４０】
この上面盤Ｊは、それぞれが単品プレス加工により作られた形状の異なる複数枚の板状部材、すなわち、外部に表出する表側の板状部材１ａと、この表側の板状部材１ａの裏側に添接される中間の板状部材１ｂと、この中間の板状部材１ｂの裏面側に添接される裏側の板状部材１ｃとが重ね合わされた状態で接着層ｓを介して接合されてなる。前記各板状部材１ａ、１ｂ、１ｃは金属製のもので具体的には、鉄、アルミ、銅、ステンレス、チタン、マグネシウムなどが用いられる。
【００４１】
この上面盤Ｊは、局所的な特異形状部分である複数のボス部ｐ１とキーボード形成用の領域ｒ１を構成するための厚肉部ｐ２とを有している。しかして、この上面盤Ｊは、キーボード形成用の領域ｒ１と、この領域ｒ１を囲むフレームプレート形成用の領域ｒ２とを具備している。そして、前記接着層ｓが板状部材１の接合面全域に亘ってとぎれることなく略一定の厚さで存在している。
【００４２】
ボス部ｐ１は、取り付けのための部分であって中間の板状部材１ｂにより形成されており、中間の板状部材１ｂを表側の板状部材１ａに接着した状態で筐体の内方に突出する形態をなしている。換言すれば、上面盤Ｊを構成する板状部材の一部である中間の板状部材１ｂにボス部ｐ１を一体に形成してなる物品である上面盤Ｊは、前記ボス部ｐ１が、中間の板状部材１ｂを絞り上げ加工により一面側、すなわち上面盤Ｊの裏面側に膨出させてなる突起ｐ１１と、この突起ｐ１１の先端壁ｐ１４の一部をバーリング加工により突起ｐ１１内方側に突出させてなり内周にねじ溝ｐ１３を刻設してなる筒部ｕ３とを具備してなり、前記筒部ｕ３の突出寸法ｓ１が前記突起ｐ１１の膨出寸法ｓ２よりも小さく設定してある。すなわち、ボス部ｐ１は、前記中間の板状部材１ｂを単品プレス加工により作る際にこの板状部材１ｂに一体に形成されるボス部形成用の突起ｐ１１を主体に構成されたもので、その突起ｐ１１の先端部分のねじ孔ｐ１２にタップ加工を施してねじ溝ｐ１３を形成したうえで前記中間の板状部材１ｂを表側の板状部材１ａに接着することにより作られている。突起ｐ１１は内部に空洞ｐ１１１を有したものでこの空洞ｐ１１１は表側の板状部材１ａにより塞がれている。換言すると、上面盤Ｊは、ボス部ｐ１により中空化した部分を有したものとなっている。すなわち、物品たるノートパソコンのキーボード形成用の上面盤Ｊが複数の板状部材１ａ、１ｂ、１ｃから構成されており、前記ボス部ｐ１が前記板状部材１ａ、１ｂ、１ｃのうちの一部、すなわち前記中間の板状部材１ｂと一体に形成されているものである。
【００４３】
厚肉部ｐ２は、主として強度を変化させるための部分であって、表側の板状部材１ａの裏面に中間の板状部材１ｂと裏側の板状部材１ｃとを重ね合わせて接着することにより作られている。裏側の板状部材１ｃはキーボード形成用の領域ｒ１に対応させた形状をなしており、中間の板状部材１ｂはキーボード形成用の領域ｒ１とフレームプレート形成用の領域ｒ２とを合わせた形状をなしている。そのため、キーボード形成用の領域ｒ１は表側、中間、裏側の三枚の板状部材１ａ、１ｂ、１ｃにより構成され、一方、フレームプレート形成用の領域は表側、中間の二枚の板状部材１ａ、１ｂにより構成されている。その結果、キーボード形成用の領域ｒ１は、フレームプレート形成用の領域ｒ２と比べて裏側の板状部材１ｃの厚み分だけ厚み寸法が大きくなっている。したがって、この上面盤Ｊは、前記板状部材の重ね合わせ枚数が相互に異なり、且つ厚みも異なる複数の領域を備えている。
【００４４】
換言すれば、裏側の板状部材１ｃは、上面盤Ｊにおいて重ね合わせ枚数が相互に異なるとともに、厚みも異なる複数の領域を形成させるものであり、上面盤Ｊにおける強度的特性を変化させるための要素を少なくとも含んでいる。なお、表側の板状部材１ａは、筐体の外面の一部を構成しており、外観を整えるための意匠面を形成する要素を少なくとも含んでいる。
【００４５】
キーボード形成用の領域ｒ１には、図示しないキーを収容するための複数のキー収容孔１１が多数穿設されている。また、フレームプレート形成用の領域ｒ２には図示しないトラックパッド及びクリックボタン表出用の窓１２、スイッチボタンの表出用の孔１３、及び、ヒンジに対応する切欠部１４が形成されており、前記各ボス部ｐ１はこの領域ｒ２に設けられている。
【００４６】
次いで、この上面盤Ｊの製造方法を説明する。
【００４７】
この上面盤Ｊは、図４及び図５に示すように、単品プレス加工により作られた金属製の表側の板状部材１ａに、異形状に別加工した中間の板状部材１ｂ及び裏側の板状部材１ｃを重ね合わせ、それら板状部材１ａ、１ｂ、１ｃをストローク制御機構を備えたプレス機による接着プレス加工に伴わせて接合することにより作られる。その過程で、前述したような局所的な特異形状部分であるボス部ｐ１と厚肉部ｐ２が同時に形成される。ここで、前述したように、「接着プレス加工」とは、重ね合わせた複数枚の板状部材１ａ、１ｂ、１ｃを接着させるために厚み方向に圧縮する加工全般を意味して命名した文言である。また、「単品プレス加工」とは、板金素材Ｕにプレス加工を施すことにより所定の形状をなす各板状部材１ａ、１ｂ、１ｃを作る行為を意味しており、説明の便宜上、前記「接着プレス加工」と明確に区別するために命名した文言である。
【００４８】
前記接着プレス加工は、板状部材１ａ、１ｂ、１ｃ間に介在させた接着層ｓの接着機能を少なくとも惹起させる加工であり、本実施形態においては、圧接力を加えつつ板状部材間に介在させた接着層ｓを熱により溶融させることにより行うものである。
【００４９】
詳述すれば、単品プレス加工により裏面に接着層ｓを有した表側の板状部材１ａと、接着層を有しない中間の板状部材１ｂと、表面に接着層ｓを有した裏側の板状部材１ｃとをそれぞれ製作する。しかる後に、それらの板状部材１ａ、１ｂ、１ｃを重ねあわせたうえで、前記接着層ｓが溶融する程度の温間で接着プレス加工を施すことにより前記各板状部材１ａ、１ｂ、１ｃ同士を接合する。次いで、表側の板状部材１ａの周縁部１５にヘミング加工を施して上面盤Ｊの輪郭部分の仕上げを行うとともに、前記キー収容孔１１、トラックパッド及びクリックボタン表出用の窓１２、スイッチボタン表出用の孔１３、及び、ヒンジに対応する切欠部１４等に対して仕上げプレス加工である貼付シェービング加工を行う。貼付シェービング加工は、前記接着プレス加工を終えた後に不要部分ｓｔを切除するためのものである。前記不要部分ｓｔは、完成品の縁を構成すべき部位からはみ出た部分であり、この実施形態においては、例えば、図１２に示すようにキー収容孔の内周縁からはみ出た部分ｓｔを意味している。はみ出た部分ｓｔには、板状部材の金属部分ｓｔ１や接着層の部分ｓｔ２あるいはその両方が含まれる。
【００５０】
具体的には、完成品である上面盤Ｊのキー収容孔１１の内径寸法ｍ１よりも単品プレスにより形成される各板状部材１のキー収容孔１１に相当する孔１１´の内径寸法ｍ２を若干小さくしている場合には、この貼付シェービング加工により接着層の部分ｓｔ２だけでなく金属部分ｓｔ１をも打ち抜くことになる。その際、プレス機の上型と下型とのクリアランスをゼロに近い状態に設定した上で冷却しつつ打ち抜くことによってキー収納孔１１の内周が鏡面仕上げ状態となり製品の外観レベルにまで加工面を成型することができる。この貼付シェービング加工は、前記窓１２や切欠部１４に対しても同時に行うことができる。
【００５１】
表側の板状部材１ａに関する単品プレス加工は、打ち抜き加工を伴う通常のプレス加工技術を用いて行われる。
【００５２】
中間の板状部材１ｂに関する単品プレス加工は、打ち抜き加工を伴う通常のプレス加工技術に加えてボス部ｐ１を形成するための特殊なプレス加工の工程が加えられている。図６は、そのボス部ｐ１の拡大図であり一部を切断して内部構造も示している。プレス加工によりボス部ｐ１を成形するにはまず、図７に示すような中間の板状部材１ｂを構成する板金素材Ｕに、図８に示すようにつぶし加工を施して円環状の薄肉部ｕ１を形成するとともに、その薄肉部ｕ１の内側に増肉部ｕ２を作りだす。しかる後に、図９に示すように、その増肉部ｕ２にバーリング加工を施して筒部ｕ３を形成し、その筒部ｕ３と前記薄肉部ｕ１との間に存在する増肉部ｕ２の塑性変形を利用して絞り上げ加工により図１０に示すようなカップ状の突起ｐ１１を設ける。そして、前記筒部ｕ３の内周にタップ加工によりねじ溝ｐ１３を刻設してねじ孔ｐ１２を形成する。以上の工程を行うことにより、図１１に示されるようなボス部ｐ１を得ることができる。
【００５３】
換言すると、ボス部ｐ１を備えた物品は、中間の板状部材１ｂの一部にボス部ｐ１を一体に形成してなるものであって、前記ボス部ｐ１が、中間の板状部材１ｂの一部を絞り上げ加工により一面側に膨出させてなる突起ｐ１１と、この突起ｐ１１の先端壁ｐ１４の一部をバーリング加工により突起ｐ１１内方側に突出させてなり内周にねじ溝ｐ１３を刻設してなる筒部ｕ３とを具備してなるもので、前記筒部ｕ３の突出寸法ｓ１が前記突起ｐ１１の膨出寸法ｓ２よりも小さく設定してあるものである。
【００５４】
このようなものであれば、バーリング加工を施して通常の長さ程度の筒部ｕ３を形成した後に、増肉部ｕ２の存在を利用してその筒部ｕ３の外側を絞り上げ加工するため、板状部材１ｂに無理な変形を強いることがなく、筒部ｕ３の突出寸法ｓ１よりもボス部ｐ１全体の高さ寸法ｓ２を無理なく大きくすることが可能となる。
【００５５】
裏側の板状部材１ｃに関する単品プレス加工は、打ち抜き加工を伴う通常のプレス加工技術を用いて行われる。
【００５６】
以上のように、第一実施形態に示す部品の製造方法によれば、上面盤Ｊを、単品プレス加工により作られた表側の板状部材１ａに、異形状に別加工した中間の板状部材１ｂ及び裏側の板状部材１ｃを重ね合わせ、それら板状部材１ａ、１ｂ、１ｃをストローク制御機構を備えたプレス機による接着プレス加工に伴わせて接合することにより作ることができるため、複数の板状部材１ａ、１ｂ、１ｃを積層して構成された強度に優れた部品を得ることができる。しかも、複数の板状部材１ａ、１ｂ、１ｃ間に接着層ｓを介して接合するため各板状部材１ａ、１ｂ、１ｃのそれぞれの厚み寸法を薄く設定することができ、従来の削り出しにより形成されていた部品等の厚み寸法と比べて、部品を薄型化することができる。
【００５７】
また、本実施形態に示す部品の製造方法によれば、部品の所定箇所に中空化した部分を形成したり、板状部材の素材を適宜選択したりすることができるため、部品の強度を維持しつつその部品の軽量化を図ることが可能となる。さらにいえば、上面盤Ｊを、複数の板状部材を重ね合わせて作るようにしたので、各板状部材の設計の自由度が向上するものとなり、意匠面における自由度すなわちデザインの多様性を実現することができる。
【００５８】
なお、第一実施形態に係る部品の製造方法によれば、表側の板状部材１ａに局所的な特異形状部分である複数のボス部ｐ１等を一体に設けたものとしているので、従来のようにボス部やダボ部等の局所的な特異形状部分を設けるにあたって別個の部材を後付け加工することにより行っていたものと比較して、部材点数を削減することができるものとなる。
【００５９】
また、本実施形態に係る上面盤Ｊは、各板状部材１ａ、１ｂ、１ｃを積層してなる３ピース構造をなすものであるが、かかる構造における一枚又は複数枚にアルミ材を適用すれば、放熱性に優れたものとすることができる。さらに、各板状部材１ａ、１ｂ、１ｃ間に断熱シートを介在させることにより、断熱性を向上させることもできる。
【００６０】
さらに、第一実施形態に示すボス部ｐ１を備える上面盤Ｊの製造方法は、板金素材Ｕにつぶし加工を施して環状の薄肉部ｕ１を形成するとともに、その薄肉部ｕ１の内側に増肉部ｕ２を作りだし、その増肉部ｕ２にバーリング加工を施して筒部ｕ３を形成し、その筒部ｕ３と前記薄肉部ｕ１との間に存在する増肉部ｕ２の塑性変形を利用して絞り上げ加工によりカップ状の突起ｐ１１を設け、前記筒部ｕ３の内周にねじ溝ｐ１３を刻設してねじ孔ｐ１２を形成しているので、バーリング加工を施して中間の板状部材１ｂに亀裂が入らない程度の高さを有する筒部ｕ３を形成した後に、増肉部ｕ２の存在を利用してその筒部ｕ３の外側を絞り上げ加工するため、中間の板状部材１ｂに無理な変形を強いることがなく、筒部ｕ３の突出寸法ｓ１よりもボス部ｐ１全体の高さ寸法を無理なく大きくすることが可能となる。すなわち、バーリング加工を施して筒部ｕ３を形成した後に、その筒部ｕ３の外側を絞り上げ加工するため、この絞り上げ加工によって前記筒部ｕ３が中間の板状素材１ｂよりも厚さ方向に変位した位置に形成されることとなる。したがって、ボス部ｐ１を備えた中間の板状部材１ｂと、このボス部ｐ１を介して取り付けられる筐体との間の距離を、無理なく大きくすることが可能となる。
【００６１】
また、板金素材Ｕにつぶし加工を施して増肉部ｕ２を作り出しているので、この板金素材Ｕに亀裂等を生じさせることなく、深く絞り出すことができる。
【００６２】
さらに、本実施形態にかかる上面盤Ｊの製造方法によれば、現在行われているアルミ削り出し加工による上面盤の製造に比べて、安価なプレス加工によって背の高いボス部ｐ１を形成することができるため、工数の大幅な増大を招くことなく種々の形態の物品を製造することが可能となる。
【００６３】
また、本実施形態にかかる上面盤Ｊの製造方法によれば、板金素材Ｕの強度を維持した上での軽量化、及び薄型化を図ることができる。また、表側の板状部材１ａにはボス部ｐ１に対応した凹凸が形成されないため、意匠面のデザイン性の自由度が高まる。さらに、中間の板状部材１ｂとボス部ｐ１とを一体化したことによって、部品点数の削減を図ることができる。
＜第二実施形態＞
次いで本発明の第二実施形態を、図１３〜図１６を参照して説明する。
【００６４】
この第二実施形態は、前述した第一実施形態と同様に、本発明を電子機器の筐体用部品であるノートパソコンのキーボード形成用の上面盤Ｊｘに適用した場合のものであり、説明の都合上、図１３、図１４及び図１６では内面側が上を向くように描いてある。図１５は、外面から観察した平面図である。
【００６５】
この上面盤Ｊｘは、それぞれが単品プレス加工により作られた形状の異なる複数枚の板状部材、すなわち、外部に表出する表側の板状部材１ａｘと、この表側の板状部材１ａｘの裏側に添接される中間の板状部材１ｂｘと、この中間の板状部材１ｂｘの裏面側に添接される裏側の板状部材１ｃｘとが重ね合わされた状態で接着層ｓｘを介して接合されたものである。さらに、前記表側の板状部材１ａｘと中間の板状部材１ｂｘとの間には、特殊な板状部材であるトラックパッドシートｔｓが挟持されている。前記表側の板状部材１ａｘ、中間の板状部材１ｂｘ及び裏側の板状部材１ｃｘはそれぞれ金属製のもので具体的には、鉄、アルミ、銅、ステンレス、チタン、マグネシウムなどが用いられる。この上面盤Ｊｘは、局所的な特異形状部分である複数のボス部ｐ１ｘと、キーボード形成用の領域ｒ１ｘを構成するための厚肉部ｐ２ｘと、トラック及びスイッチ操作用の領域ｒ２ｘを構成するための操作部ｐ３とを有している。
【００６６】
しかして、この上面盤Ｊｘは、キーボード形成用の領域ｒ１ｘと、この領域ｒ１ｘを囲むフレームプレート形成用の領域ｒ２ｘと、トラック及びスイッチ操作用の領域ｒ３とを具備している。そして、前記接着層ｓｘが板状部材１ａｘ、１ｂｘ、１ｃｘの接合面全域に亘ってとぎれることなく略一定の厚さで存在している。
【００６７】
ボス部ｐ１ｘは、取り付けのための部分であって中間の板状部材１ｂｘにより形成されており、中間の板状部材１ｂｘを表側の板状部材１ａｘに接着した状態で筐体の内方に突出する形態をなしている。ボス部ｐ１ｘは、前記中間の板状部材１ｂｘを単品プレス加工により作る際にこの板状部材１ｂｘに一体に形成されるボス部形成用のフランジ部ｐ１４を主体に構成されたもので、そのフランジ部ｐ１４の内周にタップ加工を施してねじ溝ｐ１３ｘを形成したうえで前記中間の板状部材１ｂｘを表側の板状部材１ａｘに接着することにより作られている。
【００６８】
厚肉部ｐ２ｘは、主として強度を変化させるための部分であって、表側の板状部材１ａｘの裏面に中間の板状部材１ｂｘと裏側の板状部材１ｃｘとを重ね合わせて接着することにより作られている。裏側の板状部材１ｃｘはキーボード形成用の領域ｒ１ｘに対応させた形状をなしており、中間の板状部材１ｂｘはキーボード形成用の領域ｒ１ｘとフレームプレート形成用の領域ｒ２ｘとを合わせた形状をなしている。そのため、キーボード形成用の領域ｒ１ｘは表側、中間、裏側の三枚の板状部材１ａｘ、１ｂｘ、１ｃｘにより構成され、一方、フレームプレート形成用の領域ｒ２ｘは表側、中間の二枚の板状部材１ａｘ、１ｂｘにより構成されている。その結果、キーボード形成用の領域ｒ１ｘは、フレームプレート形成用の領域ｒ２ｘと比べて裏側の板状部材１ｃｘの厚み分だけ厚み寸法が大きくなっている。したがって、この上面盤Ｊｘは、前記板状部材の重ね合わせ枚数が相互に異なり、且つ厚みも異なる複数の領域を備えている。
【００６９】
操作部ｐ３は、特殊な機能を付加するための部分であって、トラックパッド３１とクリックボタン３２とを隣接配置してなる。
【００７０】
トラックパッド３１は、指の動きを電気信号に変換するトラックパッドシートｔｓと、このトラックパッドシートｔｓの上面を覆うトラックパッドカバー３１２とを具備してなる。トラックパッドシートｔｓは図示しない基板に接続される複数の端子ｔｓ１を有した矩形板状のもので、その内部構造は通常のものであるため説明を省略する。中間の板状部材１ｂｘには、前記端子ｔｓ１を基板側に導くための端子挿通用スリットｖ１が形成されている。トラックパッドカバー３１２は、前記トラックパッドシートｔｓの上面全域を覆う板状のもので前記表面側の板状部材１ａｘと一体に構成されている。以上のようにこのトラックパッド３１はトラックパッドシートｔｓを二枚の板金（表側の板状部材１ａｘと一体をなすトラックパッドカバー３１２及び中間の板状部材１ｂｘ）でサンドイッチした特殊な構成をなしており、トラックパッドシートｔｓが外部に表出しないようになっている。
【００７１】
クリックボタン３２は、押圧動作を電気信号に変換する対をなすタクトスイッチ３２１と、これらのタクトスイッチ３２１の上面側を覆い押圧動作を前記タクトスイッチ３２１に伝達するスイッチカバー３２２とを具備してなる。タクトスイッチ３２１は、通常の構成を有するもので下端に設けた図示しない端子が前記基板に接続されるようになっており、例えば一方が左クリック用、他方が右クリック用に設定されている。前記中間の板状部材１ｂｘには、これらタクトスイッチ３２１と干渉するのを防止するための干渉防止孔ｖ２が穿設されている。スイッチカバー３２２は、一端側で左クリック用のタクトスイッチ３２１ａを覆い、他端側で右クリック用のタクトスイッチ３２１ｂを覆う短冊状のもので、前記表面側の板状部材１ａｘと一体に構成されている。一端側及び他端側はそれぞれ平面視コ字形をなす分断用スリットｖ３を介して表側の板状部材１ａｘから部分的に切り離されており一端側及び他端側がそれぞれ中央に設けたつなぎ部ｔｎを支点にして片持ち梁的に厚み方向に弾性変形し得るようになっている。そのため、スイッチカバー３２２の一端側を押圧操作するとその一端側が下方に弾性変位し左クリック用のタクトスイッチ３２１ａが切りかわるようになっており、スイッチカバー３２２の他端側を押圧操作するとその他端側が下方に弾性変位し右クリック用のタクトスイッチ３２１ｂが切りかわるようになっている。このクリックボタン３２は、前述したように電子機器の筐体の一部の弾性変形を利用してスイッチを切換えるようにした特殊な構成をなしている。すなわち、このクリックボタン３２は、金属製の筐体の一部に一体に形成された弾性変位部ｄ１と、この弾性変位部ｄ１の内側に配設され外部操作により前記弾性変位部ｄ１が変位した場合に切り替わるスイッチｄ２とを具備してなる。この実施形態においては、前記表側の板状部材１ａｘに一体に形成したスイッチカバー３２２が前記弾性変位部ｄ１に相当し、タクトスイッチ３２１が前記スイッチｄ２に相当する。
【００７２】
以上のように、トラックパッド３１のトラックパッドカバー３１２とクリックボタン３２のスイッチカバー３２２とは、表側の板状部材１ａｘを単品プレス加工により製造する際に該板状部材１ａｘと一体に形成されるものである。前記表側の板状部材１ａｘにおける前記トラックパッドカバー３１２とスイッチカバー３２２とを囲む部位には内面側に突出する突条ｔｊが一体に形成されており、この突条ｔｊの内側に前記トラックパッドシートｔｓを配している。また、中間の板状部材１ｂｘにもトラックパッドシートｔｓを収容するスペースを確保するための浅絞り部ａｓを形成している。
【００７３】
キーボード形成用の領域ｒ１ｘには、図示しないキーを収容するための複数のキー収容孔１１ｘが多数穿設されている。また、フレームプレート形成用の領域ｒ２ｘには図示しないヒンジに対応する切欠部１４ｘが形成されており、前記各ボス部ｐ１ｘはこの領域に設けられている。トラック及びスイッチ操作用の領域ｒ３には、単品プレス加工により板状部材１ｘを製作する際に同時に形成される局所部材を利用して作られるトラックパッド３１及びクリックボタン３２が配されている。すなわち、この実施形態においては、表側の板状部材１ａｘを単品プレス加工する際に同時に形成される局所部材Ｋを利用して前記トラックパッド３１のトラックパッドカバー３１２及びクリックボタン３２のスイッチカバー３２２が作られている。
【００７４】
以上説明した上面盤Ｊｘは、前述した第一実施形態に準じた製造方法で製造することができる。本実施形態が第一実施形態と相違している点は、主としてボス部ｐ１ｘをバーリング加工のみにより形成している点、及び、表側の板状部材１ａｘと中間の板状部材１ｂｘとの間にトラックパッドシートｔｓを介在させる点にあり、他の形状的な相違部分はプレス加工用の金型の違いにより対応することができるものである。
【００７５】
以上のように、第二実施形態に示す部品の製造方法によれば、前述した第一実施形態に示す部品の製造方法と同様の効果を得られる他、表側の板状部材１ａｘと中間の板状部材１ｂｘとの間にトラックパッドシートｔｓを介在させて接着プレス加工により一体成形された部品を得ることができるので、部品点数を削減できるとともに組み立て工数を減らすことができるものとなる。
【００７６】
なお、本発明は以上に説明した各実施形態に限られないのはもちろんのことである。
【００７７】
第一・第二実施形態においては、本発明をノートパソコンの筐体を構成する上面盤に適用した場合にして説明したが、本発明はこのようなものに限らず種々の製品の部品に適用が可能である。
【００７８】
図１７及び図１８に示す他の実施形態は、本発明を携帯電話の筐体を構成する操作部側上面盤Ｊｙ及び表示部側上面盤Ｊｚに適用したものである。操作部側上面盤Ｊｙは、図１７に示すように、表側の板状部材１ａｙと裏側の板状部材１ｃｙとを接着プレス加工により接合してなるもので、裏側の板状部材１ｃｙに一体に形成した突起により局所的な特異形状部分であるボス部ｐ１ｙが複数形成されている。これらのボス部ｐ１ｙは前述した第一実施形態のボス部ｐ１と同様な構成をなしており、前述と同様な手法により製造される。なお、前記表側の板状部材１ａｙは、いわゆるカラー鋼板に単品プレス加工を施すことにより作られる。表示部側上面盤Ｊｚは、図１８に示すように表側の板状部材１ａｚと裏側の板状部材１ｃｚとを接着プレス加工により接合してなるもので、裏側の板状部材１ｃｚに一体に形成した突起により局所的な特異形状部分であるボス部ｐ１ｚが複数形成されている。これらのボス部ｐ１ｚは前述した第一実施形態のボス部ｐ１と同様な構成をなしており、前述と同様な手法により製造される。
【００７９】
図１９及び図２０に示す他の実施形態は、本発明をデジタルカメラの筐体を構成する前面盤Ｊｅ及び後面盤Ｊｆに適用したものである。前面板Ｊｅは、図１９に示すように、表側の板状部材１ａｅと裏側の板状部材１ｃｅとを接着プレス加工により接合してなるもので、裏側の板状部材に１ｃｅ一体に形成した突起により局所的な特異形状部分であるボス部ｐ１ｅが複数形成されている。また、表側及び裏側の板状部材１ａｅ、１ｃｅの略中央部には図示しない筒状のレンズ部材を表出させるための局所的な特異形状部分である貫通孔ｅ１、ｅ２が形成されている。そして、表側の板状部材１ａｅには、前記貫通孔ｅ１の周縁を外側に突出させることにより局所的な特異形状部分であるレンズ部材周縁部ｅ３が形成されている。前記複数のボス部ｐ１ｅは前述した第一実施形態のボス部ｐ１と同様な構成をなしており、前述と同様な手法により製造される。なお、前記表側の板状部材１ａｅは、いわゆるカラー鋼板に単品プレス加工を施すことにより作られる。後面盤Ｊｆは、図２０に示すように表側の板状部材１ａｆと裏側の板状部材１ｃｆとを接着プレス加工により接合してなるもので、裏側の板状部材１ｃｆに一体に形成した突起により局所的な特異形状部分であるボス部ｐ１ｆが複数形成されている。また、表側及び裏側の板状部材１ａｆ、１ｃｆには、局所的な特異形状部分である操作ボタン表出用の開口部ｆ１、ｆ２が複数穿設されている。表側の板状部材１ａｆには、前記開口部ｆ１の近傍を浅絞り加工により外側に突出させた局所的な特異形状部分である意匠形成部ｆ３を備えている。前記複数のボス部ｐ１ｆは前述した第一実施形態のボス部ｐ１と同様な構成をなしており、前述と同様な手法により製造される。
【００８０】
図２１に示す他の実施形態は、本発明を矩形状の携帯電話の筐体を構成する後面盤Ｊｇに適用したものである。この後面盤Ｊｇは、表側の板状部材１ａｇと裏側の板状部材１ｃｇとを接着プレス加工により接合してなるもので、裏側の板状部材１ｃｇに一体に形成した突起により局所的な特異形状部分であるボス部ｐ１ｇが複数形成されているとともに、図中の左側には図示しないスピーカからの音を通すための局所的な特異形状部分である丸孔部ｇ１が形成されている。一方、表側の板状部材１ａｇには、前記丸孔部ｇ１に対応する位置に設けられ比較的小さな複数の孔からなり音を通すとともに外観を整えるための局所的な特異形状部分である複数開口部ｇ２を備えている。前記ボス部ｐ１ｇは前述した第一実施形態のボス部ｐ１と同様な構成をなしており、前述と同様な手法により製造される。
【００８１】
図２２及び図２３に示す他の実施形態は、本発明を携帯型ゲーム機の筐体を構成する前面盤Ｊｈ及び後面盤Ｊｉに適用したものである。前面盤Ｊｈは、図２２に示すように、表側の板状部材１ａｈと裏側の板状部材１ｃｈとを接着プレス加工により接合してなるもので、裏側の板状部材１ａｈに一体に形成した突起により局所的な特異形状部分であるボス部ｐ１ｈが複数形成されている。また、表側及び裏側の板状部材１ａｈ、１ｃｈにはそれぞれ図示しないコントローラ用ボタンを表出させるための開口窓ｈ１、ｈ２を適宜の形状で形成している。なお、ボス部ｐ１ｈは前述した第一実施形態のボス部と同様な構成をなしており、前述と同様な手法により製造される。前記表側の板状部材１ａｈは、いわゆるカラー鋼板に単品プレス加工を施すことにより作られる。後面盤Ｊｉは、図２３に示すように表側の板状部材１ａｉと裏側の板状部材１ｃｉとを接着プレス加工により接合してなるもので、裏側の板状部材１ｃｉに一体に形成した突起により局所的な特異形状部分であるボス部ｐ１ｉが複数形成されている。また、表側及び裏側の板状部材１ａｉ、１ｃｉには、それぞれ、主として電池を収容するために外側から内側に向けて凹んだ部位をなす局所的な特異形状部分である収容部ｉ１、ｉ２を形成している。ボス部ｐ１ｉは前述した第一実施形態のボス部ｐ１と同様な構成をなしており、前述と同様な手法により製造される。
【００８２】
図２４及び図２５に示す他の実施形態は、本発明を携帯型カーナビゲーションの筐体を構成する前面盤Ｊｊ及び後面盤Ｊｋに適用したものである。前面盤Ｊｊは、図２４に示すように、表側の板状部材１ａｊと裏側の板状部材１ｃｊとを接着プレス加工により接合してなるもので、裏側の板状部材１ｃｊに一体に形成した突起により局所的な特異形状部分であるボス部ｐ１ｊが複数形成されている。これらのボス部ｐ１ｊは前述した第一実施形態のボス部ｐ１と同様な構成をなしており、前述と同様な手法により製造される。なお、前記表側の板状部材１ａｊは、いわゆるカラー鋼板に単品プレス加工を施すことにより作られる。後面盤Ｊｋは、図２４に示すように表側の板状部材１ａｋと裏側の板状部材１ｃｋとを接着プレス加工により接合してなるもので、裏側の板状部材１ｃｋに一体に形成した突起により局所的な特異形状部分であるボス部ｐ１ｋが複数形成されている。また、表側及び裏側の板状部材１ａｋ、１ｃｋには、それぞれ、主として自動車等に固定するための取り付け部材を取り付けるために外側から内側に向けて凹んだ部位をなす局所的な特異形状部分である取り付け部材嵌合部ｋ１、ｋ２を形成している。ボス部ｐ１ｋは前述した第一実施形態のボス部ｐ１と同様な構成をなしており、前述と同様な手法により製造される。
【００８３】
その他、本発明に係る電子機器の筐体の一部を構成する部品としては、以上に説明したもののほか、デスクトップ用パソコン、スマートフォン又は携帯情報端末（ＰＤＡ）など、種々のものを挙げることができる。また、本発明に係る部品は、電子機器に限らず、自動車用や航空機用のものとしても適用することが可能である。
【００８４】
上述した実施形態においては、局所的な特異形状部分が、主として、取り付けのための部分としてのボス部、強度を変化させるための部分としての厚肉部、及び、特殊な機能を付加するための部分としての操作部である場合について具体的に説明をしたが、本発明はこれらに限定されるものではない。その他、取り付けのための部分としては、種々の部材に係合するためのフック部や、他の部材を挿通させるために形成した孔などが挙げられる。強度を変化させるための部分としては、補強形状をなすリブや、他の部分よりも薄肉に形成した薄肉部などが考えられる。特殊な機能を付加するための部分としては、重なり合う部材を相互にスライド移動可能に接続するためのレール部などを挙げることができる。
【００８５】
その他の局所的な特異形状部分としては、突出形状をなすダボ部などの位置決めのための部分、軽量化に資するための孔や空洞や、重量化のために他の部分よりも厚肉に形成した厚肉部や、軽量化のために他の部分よりも薄肉に形成した薄肉部などの質量分布を変化させるための部分、又は、外観を変化させるために形成された凹凸部などの外観を整えるための意匠形成部分などを挙げることができる。
【００８６】
また、上述した実施形態においては、複数の板状部材が、いずれも単品プレス加工により作られた金属製のものである場合について説明をしたが、板状部材の少なくとも１枚が、非金属製のものであってもよい。非金属製のものとしては、例えば樹脂製、ガラス製、木製、陶磁製、モルタル製又はコンクリート製のものなどを挙げることができる。
【００８７】
板状部材間に配される接着層は、上述した実施形態に示されるように、予め板状部材の一面に備えられているようにしているもののほか、別個独立のシート状の接着剤や液状の接着剤を用いたものとしても良い。しかしながら、上述した実施形態に示されるような接着層をなす樹脂系被膜を予め板状部材に備えるようにしておけば接着プレス加工において工数の削減に寄与するものとなる。
【００８８】
上述した実施形態では、板状部材の少なくとも１枚が、主として強度的特性を変化させるための要素を含むもの、及び、外観を整えるための意匠面を形成する要素である場合について説明をしたが、これらの要素に限定されるものではない。例えば、前記板状部材の少なくとも１枚が、質量分布を変化させるための要素を含むものや、熱、電気、電磁波、音、光等を遮蔽するための遮蔽機能を有した要素を含むものや、制振機能を有した要素を含むものなどであってもよい。
【００８９】
上述した実施形態では、少なくとも板状部材間に介在させた接着層の接着機能を惹起させる接着プレス加工について詳述したが、この接着プレス加工に加えて補強接合加工を施すようにしてもよい。補強接合加工には、例えば、隣接する金属製の板状部材同士を、その境界部分にレーザビームを照射して接合するレーザ溶接加工、外部に表出しない金属製の板状部材同士をスポット溶接により接合するスポット溶接加工、又は、外部に表出しない板状部材同士をリベットを用いて接合する締結加工などを挙げることができる。
【００９０】
上述した実施形態では、仕上げプレス加工において、接着プレス加工を終えた後に不要部分を切除する態様を示しており、具体的には、完成品の縁を構成すべき部位からはみ出た部分である金属部分及び接着層の部分を挙げていたが、不要部分とはこれに限られるものではない。その他の不要部分としては、複数重ね合わされる板状部材同士を位置決めするための位置決め用部分などを挙げることができる。
【００９１】
上述した実施形態における部品は、板状部材の重ね合わせ枚数が相互に異なり且つ厚みも異なる複数の領域を備えている態様であったが、本発明はこのようなものに限られず、板状部材の重ね合わせ枚数が相互に異なり且つ厚みは全領域において同じである場合もある。
【００９２】
ボス部の形状は、円形に限られず、楕円その他の異形状であってもよい。また、ボス部の数も、複数に限られず、１つであってもよい。
【００９３】
薄肉部は、完全な環状に形成されるものに限られず、間欠的なものであってもよい。
【００９４】
ボス部を備えた物品が単一の部材から構成されている場合は、ボス部がその単一の部材に一体に形成されていることが好ましい。この場合の単一の部材とは、外見上一つの物体として認識し得る部材であって、塑性変形が可能なものであればどのようなものでもよく、たとえば、単一金属あるいは合金等の金属素材を一定の形状に成形してなるものだけでなく、クラッドやメッキ等の複数の金属素材を積層あるいは混在させて一定の形状に成形してなるもの、あるいは、金属素材と非金属素材とを混在させて一定の形状に成形してなるもの等が含まれる。一方で、第一実施形態に示すように、ボス部を備えた物品が複数の部材から構成されている場合は、ボス部が部材の少なくとも一部と一体に形成されているものであればよい。この場合の複数の部材とは、外見上複数の物体として認識し得る部材であって、少なくともボス部が形成される部材については塑性変形が可能なものであればよい。ボス部が形成されない部材については、塑性変形が可能であるか否かを問わず、あらゆる材料で作られたものを含む。
【００９５】
重ね合わせる板状部材のそれぞれが、異なる材料を用いたものであれば、採用される材料の特性、すなわち、板状部材に採用される金属の特性や着色の有無などの特性を活かした多様なバリエーションの部品を製造することもできる。例えば、外部に表出する板状部材として表面に任意の色や模様が施されたカラー鋼板（鉄）を用いたものを採用するとともに、外部に表出しない他の板状部材には、外部に表出する板状部材とは異なるアルミ鋼板やステンレス鋼板（ステンレス鋼）を用いたものを採用する態様や、外部に表出する板状部材として表面に任意の色や模様が施されたステンレス鋼板（ステンレス鋼）を用いたものを採用するとともに、外部に表出しない他の板状部材には、外部に表出する板状部材とは異なるアルミ鋼板を用いたものを採用する態様や、外部に表出する板状部材として表面に任意の色や模様が施されたカラーアルミ鋼板を用いたものを採用するとともに、外部に表出しない他の板状部材には、カラーアルミ鋼板とは異なる他のアルミ鋼板を用いたものを採用する態様などが挙げられる。表側の板状部材として、カラー鋼板や、カラーステンレス鋼板や、カラーアルミ鋼板を用いたものを採用すれば、部品の製造工程における塗装の工程を無くしたり簡略化したりすることができるものとなる。しかも、このようなものであれば、あらかじめ色や模様が施されている板状部材を選択した後にプレスにより部品を製造することができるため、部品を製造した後に任意の色彩を選択して塗装を施す工程と比べて、色や模様が異なる多様なバリエーションの部品を比較的容易に得ることができる。さらに、外側の板状部材として比較的強度に優れた鋼板を採用すれば、外部から受ける衝撃に強い部材として好適なものとなる。その一方で、外部に表出しない板状部材である裏側の板状部材や中間の板状部材にアルミ鋼板を用いたものとすれば、軽量化や成形性に優れたものとなり、放熱効果も向上するものとなる。
【００９６】
その他、本発明の趣旨を損ねない範囲で種々に変更してよい。
【産業上の利用可能性】
【００９７】
本発明に係る部品の製造方法を採用すれば、局所的な特異形状部分を有した部品を、単品プレス加工により作られた金属製の板状部材に、異形状に別加工した他の板状部材を重ね合わせ、それら複数枚の板状部材を接着プレス加工に伴わせて接合することにより得ることができる。このため、設計の自由度を高めることができ工数の大幅な増大を招くことなく局所的な特異形状部分を有した種々の形態の部品を製造することができる。また、本発明に係る部品を採用すれば、板状部材のそれぞれが単品プレス加工により作られたものであるので、局所的な特異形状部分を有しているにもかかわらず、少ない工数で製造することができる。
【符号の説明】
【００９８】
１ａ…板状部材（表側の板状部材）
１ｂ…板状部材（中間の板状部材）
１ｃ…板状部材（裏側の板状部材）
ｐ１…ボス部（局所的な特異形状部分）
Ｊ…部品（上面盤）
ｓ…接着層
【図１】
2011099593.tif 000003
【図２】
2011099593.tif 000004
【図３】
2011099593.tif 000005
【図４】
2011099593.tif 000006
【図５】
2011099593.tif 000007
【図６】
2011099593.tif 000008
【図７】
2011099593.tif 000009
【図８】
2011099593.tif 000010
【図９】
2011099593.tif 000011
【図１０】
2011099593.tif 000012
【図１１】
2011099593.tif 000013
【図１２】
2011099593.tif 000014
【図１３】
2011099593.tif 000015
【図１４】
2011099593.tif 000016
【図１５】
2011099593.tif 000017
【図１６】
2011099593.tif 000018
【図１７】
2011099593.tif 000019
【図１８】
2011099593.tif 000020
【図１９】
2011099593.tif 000021
【図２０】
2011099593.tif 000022
【図２１】
2011099593.tif 000023
【図２２】
2011099593.tif 000024
【図２３】
2011099593.tif 000025
【図２４】
2011099593.tif 000026
【図２５】
2011099593.tif 000027
【国際調査報告】
2011099593.tif 000028
2011099593.tif 000029
2011099593.tif 000030
2011099593.tif 000031